(57)【要約】本発明は、水溶性窒素含有ポリマーを金属表面に接触することにより得られる金属表面上の不動態層、金属表面と本発明の不動態層からなる表面、この不動態層を金属表面に形成する方法、そして水溶性窒素含有ポリマーを金属表面の不動態化のために使用する方法、そして本発明の不動態層と別の被覆膜を含む金属表面上の被覆構造体に関する。【特許請求の範囲】
【請求項１】
金属表面を、水溶性窒素含有ポリマーを含む組成物と接触させることにより得られる金属表面上の不動態層であって、該ポリマーが塩基であり、且つ該ポリマーの水溶液が、ｐＨ７未満において、金属表面の１種以上の金属の塩を添加した場合に沈殿を形成するものであることを特徴とする金属表面上の不動態層。
【請求項２】
水溶性窒素含有ポリマーが、４５質量％を超えるビニルイミダゾール及び必要により少なくとも１種の別のモノマーから構成されている請求項１に記載の金属表面上の不動態層。
【請求項３】
水溶性窒素含有ポリマーが、ビニルイミダゾールの単独重合体である請求項２に記載の金属表面上の不動態層。
【請求項４】
厚さが３μｍ以下である請求項１〜３のいずれか１項に記載の金属表面上の不動態層。
【請求項５】
厚さが０．０１〜３μｍ以下である請求項４に記載の金属表面上の不動態層。
【請求項６】
金属表面と請求項１〜５のいずれか１項に記載の不動態層からなる表面。
【請求項７】
金属表面に不動態層を形成する方法であって、金属表面を請求項１〜３のいずれか１項に記載の組成物と接触させることを特徴とする方法。
【請求項８】
接触を、噴霧法、ロール塗布法、又は浸漬法により行う請求項７に記載の方法。
【請求項９】
金属表面を不動態化するために、請求項１〜３のいずれか１項に記載の組成物を使用する方法。
【請求項１０】
請求項１〜５のいずれかに記載の不動態層Ｘ及び別の被覆膜Ｙを含む金属表面構造体。
【請求項１１】
下記の工程：
請求項７又は８に記載の方法により不動態層Ｘを形成する工程、及び
その不動態層を被覆する工程
を含む請求項１０に記載の塗料構造体を形成する方法。
【発明の詳細な説明】
【技術分野】
【０００１】
本発明は、窒素含有ポリマーを含む金属表面上の不動態層、この不動態層の形成方法に関し、そして水溶性窒素含有ポリマーを金属表面の不動態化のために使用する方法、この不動態層を含む金属表面上の被覆構造体、形成された被覆構造体、及びさらにこの被覆構造体を形成する方法、及び金属表面と本発明の不動態層からなる表面に関する。
【背景技術】
【０００２】
金属材料、特に鉄及びスチールは、環境の影響による腐食を防止するために、一般に、亜鉛メッキが施されている。亜鉛による腐食保護は、亜鉛が金属材料より卑であり、結果として、まず全ての中でそれ自体に専ら腐食攻撃を引きつける（即ち、それは犠牲層として機能する）との事実に基づいて行われる。金属材料それ自体は、それが亜鉛の連続相で覆われている限り、損なわれることはなく、その機械的機能は亜鉛メッキされていない部分よりも長期間維持される。このような亜鉛層への腐食攻撃は、不動態層の施すことより遅らせることができる。これは、電解亜鉛メッキされた部分、そしてその後被覆される部分と被覆無しで使用される部分の両方の場合に、特に行われる。アルミニウム表面、特に後で被覆されるべきアルミニウム表面の場合に、同様に不動態層が屡々設けられる。不動態層は、金属表面の腐食攻撃を遅らせ、同時に、施されるどのような被覆膜に対しても接着性を改善する機能を有する。用語「不動態層」は屡々、用語「転化被膜」と同義語として使用される。
【０００３】
これまでは、亜鉛又はアルミニウム表面上の不動態層は、通常、保護されるべきワークピースをＣｒＯ3の酸水溶液に浸漬することにより得ている。浸漬及び乾燥の後、ワークピースは、腐食に対して保護される。浸漬の際、保護されるべき金属の一部は、溶解し、その後即座に、金属表面に酸化膜を形成する。このため、この膜は、多くの金属表面で、通常存在する酸化膜と類似しているが、後者より凝集力があり、接着性も良好である。不動態化の観点から、このＣｒ(VI)処理は、最適である。Ｃｒ(VI)処理は、未被覆の亜鉛メッキパネルに白錆を発生させるために要する時間を、１時間未満から１００時間を超える範囲で延ばしている。
【０００４】
極めて有毒で、発ガン性のあるＣｒ(VI)化合物の使用を避けるために、特許文献１（ＥＰ−Ａ０９０７７６２）は、Ｃｒ(III)塩の酸性水溶液による不動態化を提案している。３００〜４００μｍの厚さのいわゆる「厚い層」として施され、これらの不動態層は顕著な腐食防止をもたらす。
【０００５】
Ｃｒ(VI)及びＣｒ(III)等の重金属の使用を避けるために、ポリマーの使用が、重要性を増している。
【０００６】
特許文献２（ＤＥ−Ａ１０００５１１３）には、リン酸及び／又はＺｒ、Ｔｉ、Ｈｆ及びＳｉから選ばれる１種以上の元素の少なくとも１種のフッ素酸、又は各場合においてこれらのアニオン、及びビニルピロリドンの単独重合体及び共重合体を含む塗布溶液に関するものであり、また金属表面をビニルピロリドンの単独重合体及び共重合体と接触させることからなる金属表面の腐食防止処理法に関するものである。特許文献２によれば、ビニルピロリドンの単独重合体及び共重合体は、Ｚｒ、Ｔｉ、Ｈｆ又はＳｉのフルオロメタレート(fluorometallate)を基礎とする公知の不動態化剤に添加される。
【０００７】
特許文献３（ＪＰ−Ａ―０４２３１６７９）は、銅又は銅合金の腐食保護剤又は腐食表面に関し、ここでは銅表面が、まずポリビニルイミダゾールを含むアルコール性溶液で処理され、その後亜鉛塩を含む溶液で処理される。この処理は、銅表面の腐食保護及び耐熱性を向上させる。
【０００８】
特許文献４（ＤＥ−Ａ４４０９３０６）は、清浄化された、或いは化学的前処理された金属表面を、アミノ基含有有機ポリマーの水溶液、特にポリビニルアミンで変性する方法に関するものである。
【０００９】
【特許文献１】ＥＰ−Ａ０９０７７６２
【特許文献２】ＤＥ−Ａ１０００５１１３
【特許文献３】ＪＰ−Ａ―０４２３１６７９
【特許文献４】ＤＥ−Ａ４４０９３０６
【発明の開示】
【発明が解決しようとする課題】
【００１０】
従って、本発明の目的は、下記の要求を満たす金属表面上の不動態層を提供することにある：
−上記層は、さらなる被覆が無くても、多くの用途に対して腐食を阻害しなければならない；
−上記層は、被覆材料の接着性を損なってはならず、被覆材料の接着性を向上させることが好ましく；換言すれば、上記層は一般に疎水性であってはならない；
−上記層は、不動態化ワークピースがその寸法を維持することを保証するために、できるだけ薄くなくてはならない；
−上記層は、１２０℃の温度に加熱した後であっても腐食防止作用を保持しなければならない；
−上記層は、基板に比較して色の違いが少ないが、欠陥を検出し、そして不動態化部分を非不動態化部分と簡単に見分けることが容易なように、できるだけ目視で識別可能であるべきである；
−上記層は、複雑な処理工程なしに製造することが可能であるべきである。
【００１１】
本発明の目的は、特に、薄くても顕著な腐食防止性を示す薄い不動態層を提供することにある。
【課題を解決するための手段】
【００１２】
本発明者等は、上記目的が、
金属表面を、水溶性窒素含有ポリマーを含む組成物と接触させることにより得られる金属表面上の不動態層であって、該ポリマーが塩基であり、且つ該ポリマーの水溶液が、ｐＨ７未満において、基板金属の１種以上の金属の塩を添加した場合に沈殿を形成するものであることを特徴とする金属表面上の不動態層により達成されることを見いだした
【発明を実施するための最良の形態】
【００１３】
本発明の不動態層は、極薄層であっても、顕著な腐食防止効果を示すとの事実が注目に値する。
【００１４】
使用される金属表面は、一般に、どのような金属表面であっても良い。概して、好適な金属表面としては、スチール、鋳鉄、亜鉛、アルミニウム及びこれらの金属同士の合金、又はこれらの金属と他の合金成分との合金から選択される標準の工業材料である。亜鉛及びアルミニウム、及びこれらの金属と他の合金成分との合金が、特に好ましく、そして亜鉛又は亜鉛合金の表面は、一般に鉄又はスチール等の金属材料を亜鉛メッキする操作により得られる。
【００１５】
前処理しなかった金属表面を使用することも考えられる。しかしながら、金属表面は、それらを水溶性窒素含有ポリマーを含む組成物と接触させる前に、少なくとも洗浄されていることが好ましい。この場合、洗浄は、金属表面を脱脂する工程を含むことが好ましい。好適な洗浄及び脱脂方法は、当該技術者に公知である。
【００１６】
塩基であり、且つその水溶液がｐＨ７未満において、基板金属の１種以上の金属の塩を添加した場合に沈殿を形成する水溶性窒素含有ポリマー（成分Ａ）は、ビニルイミダゾールを含むことが好ましい。このポリマーは、５０質量％を超えるビニルイミダゾール、及び所望により少なくとも１種の別のモノマーを含むことが特に好ましい。本発明のポリマーは、単独重合体及び共重合体の両方を服務もと理解されるべきである。
【００１７】
本発明で使用されるポリマー（成分Ａ）は、下記の成分Ａａ、Ａｂ、Ａｃを含むことが特に好ましい：
ａ）４５質量％超える、好ましくは５５質量％超える、特に好ましくは６０質量％超えるビニルイミダゾール（Ａａ）、
ｂ）０以上５０質量％未満、好ましくは４０質量％未満、特に好ましくは３０質量％未満のＮ−ビニルラクタム、他のヘテロ芳香族ビニル化合物、ビニルエステル、Ｃ1〜Ｃ10アルキルアクリレート又はメタクリレート、或いはこれらのモノマーの混合物（Ａｂ）、
ｃ）０〜５質量％、好ましくは４質量％未満、特に好ましくは３質量％未満の酸基を含むモノエチレン性不飽和モノマー（Ａｃ）。
【００１８】
好適な成分Ａｂとしては、Ｎ−ビニルラクタム、例えばＮ−ビニルカプロラクタム、Ｎ−ビニルピロリドン、及びＮ−ビニルピペリドンを挙げることができ；他のヘテロ芳香族ビニル化合物としては、ビニルピリジン及びビニルピリジンＮ−オキシドを挙げることができ；好適なビニルエステルとしては、例えば酢酸ビニル及びプロピオン酸ビニルを挙げることができ；好適なＣ1〜Ｃ10（メタ）アルキルアクリレートとしては、メチルアクリレート、エチルアクリレート及びブチルアクリレート、及び対応するメタクリレートを挙げることができる。
【００１９】
成分Ａｂとして、Ｎ−ビニルカプロラクタム、Ｎ−ビニルピロリドン、及びビニルピリジンを使用することが好ましい。
【００２０】
好適なコモノマー（Ａｃ）は、少なくとも１個の酸基（例、カルボキシル基、スルホン酸基又はホスホン酸基）を含むモノエチレン性不飽和化合物である。成分Ａｃとして好適な化合物の例としては、アクリル酸、メタクリル酸、ジメタクリル酸、エチルアクリル酸、クロトン酸、アリル酢酸及びビニル酢酸を挙げることができる。また成分Ａｃとして、モノエチレン性不飽和ジカルボン酸、例えばマレイン酸、フマル酸、イタコン酸、メサコン酸、メチレンマロン酸、シトラコン酸、無水マレイン酸、無水イタコン酸、及び無水メチレンマロン酸を挙げることができ、無水物は、水に導入されると、一般に加水分解を受けて対応するジカルボン酸を形成する。成分Ａｃとして、スルホン酸基含有モノマー（例、２−アクリルアミド−２−メチルプロパンスルホン酸、３−スルホプロピル（メタ）アクリレート、ビニルスルホン酸、メタリルスルホン酸及びアリルスルホン酸）、及びまたホスホン酸含有モノマー（例、ビニルホスホン酸）をさらに使用することも可能である。成分Ａｃとして規定されたモノマーは、単独又は相互の混合物として使用することができる。
【００２１】
成分Ａｃとして、アクリル酸、メタクリル酸、マレイン酸、無水マレイン酸、フマル酸、イタコン酸、２−アクリルアミド−２−メチルプロパンスルホン酸、ビニルスルホン酸、アクリロイル−又はメタクリロイル−スルホン酸３−スルホプロピルエステル、及びビニルホスホン酸から選択されるモノマーを使用することが好ましい。
【００２２】
成分Ａｃとして使用されるモノマーは、遊離酸の形か、或いはそのアルカリ金属塩、アルカリ土類金属塩若しくはアンモニウム塩の形で使用することができるが、塩の形が好ましい。好ましいアルカリ金属塩としてはナトリウム塩及びカリウム塩、好ましいアルカリ土類金属塩はマグネシウム塩及びカルシウム塩である。
【００２３】
特に好ましい一態様において、水溶性窒素含有ポリマーは、ビニルイミダゾール単独重合体であり、即ちこのポリマーは１００質量％のＮ−ビニルイミダゾールから構成される。
【００２４】
本発明で使用される水溶性窒素含有ポリマーの重量平均分子量（Ｍw）は、一般に１０００〜１００００００ｇ／モル、好ましくは１００００〜１５００００ｇ／モルである。特に好ましいビニルイミダゾール単独重合体を用いた場合、それは一般に５０００〜２０００００ｇ／モルの分子量を有する。分子量（Ｍw）は標準ポリスチレンを用いるゲル浸透クロマトグラフィにより測定した。
【００２５】
共重合体は、一般に、少なくとも３繰り返し単位、好ましくは１０を超える繰り返し単位を有する化合物を意味する。
【００２６】
本発明で使用される水溶性窒素含有ポリマーは、当該技術者に公知の方法で製造することができる。使用可能な例として、トルエン、水又はエタノール中において、塊状重合、懸濁重合、乳化重合又は溶液重合によりポリマーを製造する方法を挙げることができる。別の可能性として、有機溶剤（例、アルカン又はシクロアルカン）からの沈殿重合により、又はＤＥ−Ａ−４３４２２８１に開示された方法に準拠した方法により、本発明で使用される水溶性窒素含有ポリマーを製造する方法がある。
【００２７】
５０質量％を超えるビニルイミダゾール及び所望により少なくとも１種の別のモノマーから構成される好ましく使用される水溶性窒素含有ポリマー、特に好ましく使用されるビニルイミダゾール単独重合体は、ＤＥ−Ａ−４３４２２８１に開示された方法に対応する方法に従い製造することが好ましい。
【００２８】
本発明の一好適態様において、金属表面を、下記成分Ａ、Ｂ、Ｃを含む組成物と接触させることが好ましい：
ａ）上記定義された水溶性窒素含有ポリマー（成分Ａ）；
ｂ）水、又はポリマー（成分Ａ）を溶解又は分散、或いは懸濁又は乳化することができる他の溶剤（成分Ｂ）；
ｃ）所望により、少なくとも一種の界面活性化合物、少なくとも１種の乳化剤及び／又は少なくとも１種の分散剤（成分Ｃ）。
【００２９】
［成分Ａ］
成分Ａとして使用される水溶性窒素含有ポリマーは既に前記で定義した。
【００３０】
本発明で使用される組成物において、このポリマーは、一般に０．０１〜１００ｇ／Ｌ、好ましくは０．０１〜７０ｇ／Ｌ、さらに好ましくは０．０１〜５０ｇ／Ｌ（それぞれ１Ｌの組成物に対する範囲）で使用される。
【００３１】
［成分Ｂ］
成分Ｂは、水、又はポリマー（成分Ａ）を溶解又は分散、或いは懸濁又は乳化することができる他の溶剤である。本発明において、溶剤は、その中で本発明の組成物の種々の成分が極めて微細な形態で存在している液体マトリックスである。このような微細状態は、例えば、分子的分散分布の点で、成分の真の溶剤溶液と言える。しかしながら、用語「溶剤」はもまた、その中で成分が乳濁又は分散状態で分布している（即ち、分子的分散溶液を形成していない）液体マトリックスも包含している。
【００３２】
好適な溶剤の例としては、水、及び水混和性溶剤及び水非混和性溶剤を挙げることができる。好適な水混和性溶剤としては、炭素原子数１〜６個の１級又は２級の１価又は多価アルコール、例えばメタノール、エタノール、プロパノール、イソプロパノール、ｎ−ブタノール、イソブタノール、ペンタノール、ヘキサノール、シクロヘキサノール又はグリセロールを挙げることができる。同様に、水混和性溶剤として、低分子質量のケトン、例えばアセトン又はメチルエチルケトン、或いはエーテルアルコール、例えばジエチレングリコール又はトリエチルグリコールも好適である。本発明において、水と混和性が低いか混和性の無い溶剤も同様に好適である。これらの例としては、エーテル、例えばジエチルエーテル、ジオキサン又はテトラヒドロフラン、芳香族溶剤、例えばトルエン又はキシレン、ハロゲン化溶剤、例えばジクロロメタン、クロロホルム又はテトラクロロメタン、そして任意に置換脂肪族溶剤、例えば上述のアルコール及びケトンの高級同族体及びパラフィン系炭化水素、を挙げることができる。
【００３３】
上述の溶剤は、個々に又は２種以上の溶剤として使用することができる。本発明の一好適態様において、使用される溶剤が、水単独、又は１種以上の上述の、好ましくは水溶性溶剤との混合物である。本発明において、水及び水非混和性溶剤を含む溶剤を使用しなければならない場合、溶剤は、実質的に安定なＷ／Ｏ又はＯ／Ｗ乳濁液とするために乳化剤を含み得る。
【００３４】
本発明の組成が、水と他の水混和性溶剤との混合物を含む場合、このような混合物中の水の割合は、少なくとも３０質量％以上、例えば少なくとも４０質量％又は少なくとも５０質量％が好ましい。本発明の特に好ましい一態様において、水の割合は少なくとも７５質量％である。水と水混和性溶剤の好適な組合せの例としては、水／メタノール、水／エタノール、水／プロパノール又は水／イソプロパノールを挙げることができる。本発明では、水とエタノールの混合物が好ましく、水の割合は、約７５質量％を超える量が好ましく、例えば約８０質量％を超える量又は約８５質量％を超える量である。
【００３５】
本発明の一好適態様において、本発明の組成は、少なくとも５０質量％の水含有量を有する少なくとも１種の溶剤を含んでいる。
【００３６】
特に、溶剤として水のみ使用することが好ましい。
【００３７】
本発明の水溶液として好ましく使用される組成物は、一般に１〜６のｐＨを有するが、基板及び処理（施与）方法及び基板金属の表面を本発明で使用される組成物に曝露する期間に依存する狭いｐＨ範囲を選択することが可能である。例えば、光輝金属表面を処理するために、ｐＨは２〜６の範囲が好ましく、アルミニウム表面を処理する場合は２〜４にすることが好ましく、スチール、亜鉛又は亜鉛メッキスチールを処理する場合は３〜５にすることが好ましい。既に前処理され、例えばリン酸塩層を有する基板金属を、ｐＨ３．５〜５の範囲において本発明で使用される組成物と接触させることが好ましい。
【００３８】
水又は他の溶剤の量は、本発明の組成物が直ぐ使用可能な組成物であるか、濃縮物であるかに対して相関関係があり、個々の末端の用途にも相関関係がある。基本的には、その量は、直ぐ使用可能な組成物として規定された個々の組成物の濃度の割合と相関関係にある。
【００３９】
［成分Ｃ］
適宜に、本発明の組成物は、さらに界面活性化合物、乳化剤及び／又は分散剤を含むことができる。好適な界面活性化合物は、界面活性剤であり、カチオン性、アニオン性、両性又は非イオン性でも良い。好適な界面活性剤の例としては、Ｒ−ＥＯn／ＰＯm［但し、Ｒが、一般に、直鎖若しくは分岐のＣ6〜Ｃ30アルキル基、好ましくはＣ8〜Ｃ20アルキル基を表し、ＥＯがエチレンオキシド単位を表し、そしてＰＯがプロピレンオキシド単位を表し、ＥＯ及びＰＯの逐次配列は任意であり、ｎ及びｍは、相互に独立して、１を超え１００未満の値、好ましくは３を超え５０未満の値である。］で表されるアルキル及びアルケニルアルコキシレートを挙げることができ、例えばＢＡＳＦ社製のEmulanR、LutensolR及びPlurafac R、アルキルフェノールエトキシレート、ＥＯ／ＰＯブロック共重合体（ＢＡＳＦ社製のPluronicR）、アルキルエーテルスルファート、及びアルキルアンモニウム塩（クワッツ(quats)と呼ばれる）を挙げることができる。
【００４０】
本発明の組成物におけるこれらの成分の量は、一般に０．０１〜１００ｇ／Ｌ、好ましくは０．１〜２０ｇ／Ｌである。
【００４１】
好ましい一態様において、本発明で使用される組成物は、成分Ａ、Ｂ及び適宜Ｃに加えて、さらに
ｄ）少なくとも１種の遷移金属カチオン、遷移金属オキソアニオン、フルオロメタレート又はランタノイドを基礎とする少なくとも１種の塩、酸又は塩基（成分D）；
及び／又は
ｅ）リン酸、硫酸、スルホン酸、硝酸、フッ化水素酸及び塩酸からなる群より選択される少なくとも１種の酸（成分Ｅ）；
及び／又は
ｆ）少なくとも１種のさらなる腐食防止剤（成分Ｆ）；
及び／又は
ｇ）Ｃｅ、Ｎｉ、Ｃｏ、Ｖ、Ｆｅ、Ｚｎ、Ｚｒ、Ｃａ、Ｍｎ、Ｍｏ、Ｗ、Ｃｒ及び／又はＢｉの化合物（成分Ｇ）；
及び／又は
ｈ）他の助剤及び添加剤（成分Ｈ）
を含んでいる。
【００４２】
これらの組成物は、この明細書で述べた金属表面を不動態化（特にリン酸処理（化））するのに好適である。
【００４３】
［成分Ｄ］
好適な成分Ｅは、遷移金属カチオン、遷移金属オキソアニオン、フルオロメタレート又はランタノイドを基礎とする少なくとも１種の塩、酸又は塩基である。適当な遷移金属カチオンとしては、特に、Ｔｉ(IV)、Ｚｒ(IV)、Ｈｆ(IV)及び／又はＳｉ(IV)のフルオロメタレートであり、また特に好適なランタノイドはＣｅである。さらに、タングステート及びモリブデートも好適である。
【００４４】
成分Ｄを含む本発明の組成物は、特に、金属表面に腐食防止膜を形成（堆積）するか、金属表面に既に形成された腐食膜の腐食防止作用を強化すために特に好適である。本発明の組成物において、本発明で使用されるポリマー（成分Ａ）は、顕著な腐食防止効果を有する。一般に、本発明で使用される組成物において成分Ａを使用することにより、良好な腐食防止性が得られ、このため成分Ｄの添加は必要ではない。従って、特に好ましい本発明の一態様においては、成分Ｄの化合物は本発明で使用される組成物には存在しない。
【００４５】
本発明の組成物に存在する場合の、成分Ｄの量は０．０２〜２０ｇ／Ｌが好ましい。
【００４６】
［成分Ｅ］
成分Ｄに加えて、又は成分Ｄの代わりに、本発明の組成物は、さらにリン酸、硫酸、スルホン酸（例、メタンスルホン酸、ビニルスルホン酸、アリルスルホン酸、ｍ−ニトロベンゼンスルホン酸、ナフタレンスルホン酸及びこれらの誘導体）、硝酸、フッ化水素酸及び塩酸からなる群より選択される少なくとも１種の酸を含んでも良い。使用される酸の性質は、金属表面の処理のタイプに依存して異なる。従って、リン酸は、一般に、スチール表面をリン酸処理するためのリン酸処理浴で使用される。この場合、本発明で使用される組成物は、リン酸処理溶液である。ここでは、層形成しないリン酸処理溶液、即ち２価金属を含まない溶液として公知のものの間で、区別はされない。これらの層形成しないリン酸処理溶液は、例えば、鉄リン酸処理溶液の形態にある。リン酸処理溶液が、２価金属（例、亜鉛及び／又はマンガン）を含む場合、リン酸処理溶液は層形成であると言われている。硝酸を含む本発明の組成物は、亜鉛及びその合金の表面処理に特に好適であり、一方塩酸を含む組成物はアルミニウム及びその合金の表面処理に特に好適である。
【００４７】
使用される酸の量は、用途分野に依存して変化し得る。一般に、成分Ｅが本発明の組成物に存在する場合は、それは０．２〜２００ｇ／Ｌ、好ましくは５〜１００ｇ／Ｌで使用される。
【００４８】
［成分Ｆ］
Ｄ及び／又はＥに加えて、又はこれらに代えて、本発明で使用される組成物は、少なくとも１種の他の腐食防止剤を含んでいても良い。好適な腐食防止剤は、ブチンジオール、ベンゾトリアゾール、アルデヒド、アミンカルボキシレート、アミノフェノール及びニトロフェノール、アミノアルコール、アミノベンズイミダゾール、アミノイミダゾリン、アミノトリアゾール、ベンズイミダゾールアミン、ベンゾチアゾール、ベンゾトリアゾール誘導体、ホウ酸ジエタノールアミンエステル等のホウ酸と種々のアルカノールアミンとのエステル、カルボン酸及びそのエステル、キノリン誘導体、ジベンジルスルホキシド、ジカルボン酸及びそのエステル、ジイソブテニルコハク酸、ジチオホスホン酸、脂肪アミン及び脂肪酸アミド、グアニジン誘導体、尿素及びその誘導体、ラウリルピリジニウムクロリド、マレインアミド、メルカプトベンズイミダゾール、Ｎ−２−エチルヘキシル−３−アミノスルホプロピオン酸、ホスホニウム塩、フタルアミド、アルキルアルコールのアミン−及びナトリウム−中和リン酸エステル、及びこれらのリン酸エステル自体、ポリアルコキシレート（特に、ポリエチレングリコール）のリン酸エステル、ポリエーテルアミン、スルホニウム塩、スルホン酸（例、メタンスルホン酸）、チオエーテル、チオ尿素、チウラミドスルフィド、桂皮酸及びその誘導体、リン酸亜鉛及びケイ酸亜鉛、リン酸ジルコニウム及びケイ酸ジルコニウムから選択される。
【００４９】
他の腐食防止剤として、ブチンジオール及びベンゾトリアゾールの使用が好ましい。
【００５０】
腐食防止剤を組成物で使用する場合、一般に０．０１〜５０ｇ／Ｌ、好ましくは一般に０．１〜２０ｇ／Ｌ、特に好ましくは１〜１０ｇ／Ｌの量で使用される。
【００５１】
［成分Ｇ］
上述の成分に加えて、或いは適宜その成分に代えて、Ｃｅ、Ｎｉ、Ｃｏ、Ｖ、Ｆｅ、Ｚｎ、Ｚｒ、Ｃａ、Ｍｎ、Ｍｏ、Ｗ、Ｃｒ及び／又はＢｉの化合物を使用することも可能である。一般に、組成物における本発明の成分Ａの使用は、上述の化合物の添加を必要とせずに、良好な腐食防止性をもたらす。本発明の組成物はＣｒ(IV)を含まないことが好ましい。さらに好ましくは成分Ｇの成分を含んでいないことである。にもかかわらず、上述の化合物（化合物Ｇ）を使用する場合は、Ｆｅ、Ｚｎ、Ｚｒ及びＣａから選択される化合物を使用することが好ましい。本発明の組成物におけるこれらの化合物の量は、これらが存在する場合、一般に０．０１〜１００ｇ／Ｌ、好ましくは一般に０．１〜５０ｇ／Ｌ、特に好ましくは一般に１〜２０ｇ／Ｌである。
【００５２】
［成分Ｈ］
１種以上の上述の成分Ｄ〜Ｇに加えて又はこれらに代えて、本発明の組成物は、他の助剤及び添加剤を含むことができる。好適な助剤及び添加剤として、伝導度（導電率）顔料(conductivity pigment)又は伝導性（導電性）フィラー(conductive filler)、例えば鉄ホスフィド、炭化バナジウム、窒化チタン、カーボンブラック、グラファイト、モリブデンジスルフィド、又はスズ−又はアンチモン−ドープ硫酸バリウムを挙げることができ、鉄ホスフィドが好ましい。この種の伝導度（導電率）顔料又は伝導性（導電性）フィラーは、処理される金属表面の溶接性を改善するため、或いは続く電着(electrocoat)材料による次の被覆を改善するために、本発明の組成物に添加される。さらに、シリカ懸濁液を、特に組成物を、アルミニウムを含む表面処理に使用する場合に、用いることができる。
【００５３】
これらの助剤及び／又は添加剤は、一般に極微細な形態で存在している；換言すれば、これらの平均粒径は一般に０．００５〜５μｍ、好ましくは０．０５〜２．５μｍである。助剤及び添加剤の量は、本発明の組成物の全量に対して、０．１〜５０質量％、好ましくは２〜３５質量％である。
【００５４】
本発明で使用される組成物は、さらに成形特性を改善する添加剤を含むことができる。このような添加剤としては、天然又は合成ワックスを基礎とするワックス・ベース誘導体、例えばアクリル酸・ベースワックス、ポリエチレンワックス、ポリテトラフルオロエチレン（ＰＴＦＥ）ワックス又はワックス誘導体、又はパラフィン及びその酸化生成物を挙げることができる。
【００５５】
その用途分野により異なるが、本発明で使用される組成物は、スチレン、４−ヒドロスチレン、ブタジエン、アクリル酸、アクリレートエステル、アクリルアミド、アクリレート塩、メタクリル酸、メタクリレートエステル、メタクリルアミド、メタクリレート塩、及びアクリルアミドの誘導体を含んでも良い。また、本発明の組成物は、ポリウレタン分散液及びポリエステルウレタン分散液又はポリ尿素分散液を含むこともできる。
【００５６】
本発明で使用される組成物中に存在しても良い化合物の別のグループとしては、ポリエチレングリコール、ポリプロピレングリコール、エチレンオキシドの共重合体、及びとプロピレンオキシドの共重合体を挙げることができる。
【００５７】
本発明で使用される組成物は、不動態層の形成（変換膜の形成）、特にリンス（すすぎ洗い）無しの変換膜の形成、即ち、例えば亜鉛メッキされたスチール及びアルミニウムのリンス作業の回数が少ない方法に使用される。本発明の不動態膜は、金属表面に形成される。
【００５８】
本発明で使用される組成物は、適宜に、さらに、成分Ｉとして錯化剤を含むことができる。錯化剤の好適な例としては、エチレンジアミンテトラ酢酸（ＥＤＴＡ）、エチレンジアミン（ＥＤ）、クエン酸、及びこれらの化合物の塩を挙げることができる。
【００５９】
本発明で使用される組成物は、適宜、さらに成分Ｋとして、少なくとも１種の酸、又は対応する酸のアルカリ金属塩若しくはアルカリ土類金属塩を含むことができ、その酸はＨＮＯ3、Ｈ2ＳＯ4、Ｈ3ＰＯ4、ギ酸、及び酢酸から選択されることが好ましい。酸は、一般に、０．５〜７００ｇ／Ｌ、好ましくは５〜２８０ｇ／Ｌの量で使用される。
【００６０】
上述の成分に加えて、本発明で使用される組成物は、別の添加剤を含むことができる。適当な添加剤として、１−（２−ビニルピリジニウム）−２−エチルスルホベタイン、１，１−ジメチル−２−プロピニル−１−アミン、１−ピリジニウム−２−エチルスルホベタイン、１−ピリジニウム−２−ヒドロキシ−３−プロピルスルホベタイン、１−ピリジニウム−３−プロピルスルホベタイン、２，２´−ジクロロジエチルエーテル、２，５−ジメチル−３−ヘキシン−２，５−ジオール、２−ブチン−１，４−ジオール、２−ブチン−１，４−ジオールエトキシレート、２−ブチン−１，４−ジオールプロポキシレート、ナトリウム３−（２−ベンゾチアゾリルチオ）−１−プロパンスルホネート、ナトリウム  ３，３’−ジチオビス（１−プロパンスルホネート）、３−［（アミノイミノメチル）チオ］−１−プロパンスルホン酸、ナトリウム３−［（ジメチルアミノ）チオキソメチル］チオ−１−プロパンスルホネート、カリウム３−［エトキシチオキソメチル］チオ−１−プロパンスルホネート、ナトリウム３−クロロ−２−ヒドロキシ−１−プロパンスルホネート、３−ヘキシン−２，５−ジオール、ナトリウム３−メルカプト−１−プロパンスルホネート、４，４´−ジヒドロキシジフェニルスルホン、４−メトキシベンズアルデヒド、アルデヒド、アルキルフェニルポリエチレンオキシドスルホプロピルエーテルカリウム塩、アルキルポリエチレンオキシドスルホプロピルエーテルカリウム塩（例、トリデシル／ペンタデシルポリエチレンオキシドスルホプロピルエーテルカリウム塩）、ナトリウムアリルスルホネート、アミドスルホン酸、アルキルアルコールのアミン−及びナトリウム−中和リン酸エステル、アミンカルボキシレート、アミノフェノール及びニトロフェノール、アミノアルコール、アミノベンズイミダゾール、アミノイミダゾリン、アミノトリアゾール、メチルベンジルアセトアセテート、ベンジルアセトン、ベンズイミダゾールアミン、ベンゾチアゾール、ベンゾトリアゾール及びその誘導体、ベンジルピリジン−３−カルボキシレート、ビスフェノールＡ、種々のアルカノールアミンとホウ酸のエステル（例、ホウ酸ジエタノールエステル）、カルボン酸及びそれらのエステル、カルボキシエチルイソチウロニウムベタイン、キノリン誘導体、エチレン及びアクリル酸の共重合体、イミダゾール及びエピクロルヒドリンの共重合体、イミダゾール及びモルホリン及びエピクロルヒドリンの共重合体、Ｎ，Ｎ’−ビス［３−（ジメチルアミノ）プロピル］尿素及び１，１’−オキシビス［２−クロロエタン］の共重合体、ｎ−ブチルアクリレート及びアクリル酸及びスチレンの共重合体、ジベンジルスルホキシド、ジカルボン酸及びそれらのエステル、ジエチレントリアミンペンタ酢酸及びそれから誘導される塩、ジイソブテニルコハク酸、ジナトリウムエチレンビスジチオカルバメート、ジチオホスホン酸、エチルアミドスルホン酸、エチレンジアミンテトラ酢酸及びそれから誘導される塩、エチルグリシンジ酢酸及びそれから誘導される塩、エチルヘキサノールエトキシレート、脂肪アミン及び脂肪酸アミド、ホルムアルデヒド、グリセロールエトキシレート、グアニジン誘導体、尿素及びその誘導体、ヒドロキシエチルイミノジ酢酸及びそれから誘導される塩、イミダゾール、イソプロピルアミドスルホン酸、イソプロピルアミドスルホニルクロリド、ラウリル／ミリスチルトリメチルアンモニウムメトスルフェート、ラウリルピリジニウムクロリド、マレインアミド、メルカプトベンズイミダゾール、メチルアミドスルホン酸、Ｎ，Ｎ，Ｎ’，Ｎ’−テトラキス（２−ヒドロキシプロピル）−エチレンジアミン、Ｎ，Ｎ−ジエチル−２−プロピン−１−アミン、Ｎ，Ｎ−ジエチル−４−アミノ−２−ブチン−１−オル、Ｎ，Ｎ−ジメチル−２−プロピン−１−アミン、Ｎ−２−エチルヘキシル−３−アミノスルホプロピオン酸、Ｎ−アリルピリジニウムクロリド、硫酸化アルキルフェノールエトキシレートのナトリウム塩、ナトリウム２−エチルヘキシルスルフェート、ニコチン酸、ニトロトリ酢酸及びそれから誘導される塩、ナトリウムニトロベンゼンスルホネート、Ｎ−メタアリルピリジニウムクロリド、オルト−クロロベンズアルデヒド、ホスホニウム塩、フタルアミド、ピコリン酸、ポリエーテルアミン、ポリエチレンイミン、ポリビニルイミダゾール、プロパルギルアルコール、プロパルギルアルコールエトキシレート、プロパルギルアルコールプロポキシレート、ナトリウムプロピンスルホネート、プロピオン酸、プロピレンジアミンテトラ酢酸及びそれから誘導される塩、ピロール、４級化ポリビニルイミダゾール、２−ブチン−１，４−ジオールとエピクロロヒドリンとの反応生成物、
２−ブチン−１，４−ジオールとプロパンスルトンとの反応生成物、サッカリンとプロパンスルトンとの反応生成物、アルキルエトキシレート／プロポキシレートとプロパンスルトンとの反応生成物、ポリエチレンイミンとプロパンスルトンとの反応生成物、β−ナフトールエトキシレート／プロポキシレートとプロパンスルトンとの反応生成物、レゾルシノールエトキシレート、サッカリン、β−ナフトールエトキシレート、ナトリウムβ−ナフトールエトキシレートスルフェート、スルホニウム塩、スルホン酸（例、メタンスルホン酸）、チオジグリコールエトキシレート、チオエーテル、チオ尿素、チウラミドスルフィド、ナトリウムビニルスルホネート、桂皮酸及びその誘導体、リン酸亜鉛及びケイ酸亜鉛、リン酸ジルコニウム及びケイ酸ジルコニウム、ハイポホスフィット（例、ナトリムハイポホスフィット）、ＮａＢＨ4、ジメチルアミノボラン、ジエチルアミノボラン、ヒドラジン、ホルムアルデヒド、ウロトロピン、塩化パラジウム、スズ酸ナトリウム、ＨＦxＢＦ3、分子量１００〜１００００００ｇ／モルのポリエチレングリコール、エチレンオキシドとプロピレンオキシドのブロック共重合体（例えば、ＢＡＳＦ  Ａｋｔｉｅｎｇｅｓｅｌｌｓｈａｆｔ，Ｌｕｄｗｉｇｓｈａｆｅｎ／Ｒｈｅｉｎ社製のＰｌｕｒｏｎｉｃ）、及びエチレンオキシドとプロピレンオキシドのランダム共重合体（特に、１００〜２０００ｇ／モルのもの）を挙げることができる。
【００６１】
本発明の特に好ましい一態様において、本発明の不動態層は、水溶性窒素含有ポリマーに加えて、基板金属（特に、アルミニウム及び亜鉛）の金属イオン、及び／又はアルミニウム又は亜鉛（しかし他の金属は含まない）との合金の合金金属イオンを含んでいる。このことは、不動態の製造に使用される組成物が、金属又は金属化合物を含まないことを意味する。他の金属又は金属化合物を添加しなくても、本発明の水溶性窒素含有ポリマーの使用により、顕著に腐食安定性に優れた不動態層を製造することができる。
【００６２】
基板金属の表面に形成される本発明の不動態層の厚さは、３μｍ以下であることが好ましい。厚さは、さらに０．０１〜３μｍ、特に０．１〜３μｍが好ましい。その層の厚さは、本発明の組成物が金属表面で作用する前及び後に、質量差測定により（層は１ｋｇ／Ｌの比重とする）決定される。下記に規定された層厚は、実際のその比重と関係なく、このように決定されたパラメータである。このような薄層で、顕著な腐食防止を達成するのに十分である。このような薄層は、不動態化されたワークピースの寸法コンプライアンスを保証する。
【００６３】
本発明（明細書）は、金属表面と本発明の不動態層から構成される表面を提供する。好適な金属表面及び好ましく使用されるもの、及び不動態層の好ましい態様は、既に述べた。
【００６４】
本発明（明細書）は、さらに金属表面に本発明の不動態層を形成する方法も提供する。この方法は、金属表面を本発明で定義された組成物と接触させる工程を含むものである。好適な組成物及び好適な組成物の好ましい態様は、既に前述した。好適な金属表面及び金属表面の好ましい態様は、同様に既に前述した。
【００６５】
本発明の方法において、本発明で使用される水溶性窒素含有ポリマーは、溶液、乳濁（エマルジョン）、懸濁又はエアゾールの形態のものである。本発明の方法で使用される本発明の組成物では、共重合体（成分Ａ）は、水溶液の形態が好ましい。
【００６６】
処理法は工業的標準法に対応している。金属表面は、本発明の組成物を金属表面に噴霧することにより、或いは金属表面を組成物に浸漬することにより、組成物に接触させることが好ましい。特に好ましく使用される処理は、取り扱われる部品の数、寸法、及び形状に依存して変わる。従って、接触は、噴霧、ロール塗布又は浸漬処理により行われることが好ましい。
【００６７】
本発明の不動態層が、金属ストリップをリン酸処理することにより形成（施与）される場合、リン酸を成分Ｅとして含む本発明の組成物は、ロールオン法、又は乾燥場所(dry-place)法、又はすすぎ無し(no-rinse)法により施与（塗布）することができ、その場合、本発明で使用されるリン酸化組成物を金属ストリップに施し、リンスすることなく乾燥し、ポリマー膜を形成する。
【００６８】
本発明（明細書）は、さらに下記の工程を含む方法を提供する：
ａ）適宜に、基板の金属表面を洗浄し、油、油脂、及び汚れを除去する工程、
ｂ）適宜に、水洗する工程、
ｃ）適宜に、酸洗い(pickling)し、錆又は他の酸化物を除去する工程、
ｄ）適宜に、水洗する工程、
ｅ）金属表面を、塩基である水溶性窒素含有ポリマーを含む組成物と接触させ、その際このポリマーの水溶液（成分Ａ）は、ｐＨ７未満において、金属表面の１種以上の金属の塩を添加した場合に沈殿を形成するものである工程、
ｆ）適宜に、水洗する工程、
ｇ）適宜に、後処理する工程。
【００６９】
金属表面に共重合体（成分Ａ）を接触させる工程は、不動態化工程、特にリン酸処理工程であり、当該技術者に公知の工程である。本発明の不動態層は金属上に形成される。リン酸処理を工程ｅ）で行う場合、ｇ）で金属表面を不動態化添加剤で後処理することも可能である。
【００７０】
好ましく使用される水溶性窒素含有ポリマーは既に前で定義した。
【００７１】
前工程での溶液成分が、次の工程で必要な溶液を汚染することを防止するために、各工程間において水洗が行われる。
【００７２】
しかしながら、本発明の方法を、リンス無し法として、即ち工程ｂ）、ｄ）及びｆ）を行わずに実施することも可能である。
【００７３】
「リンス無し(no-rinse)」法として知られる方法では、本発明で使用される組成物を、一般に、基板金属表面に噴霧するか、或いは塗布ロールによって表面に移す。これは、一般に２〜２０秒の範囲の曝露時間実施され、その後中間のリンスなしに、本発明で使用される組成物を乾燥することにより行われる。乾燥は、例えば加熱されたオーブンで行うことができる。
【００７４】
洗浄工程（工程ａ）及び本発明で使用される水溶性窒素含有ポリマー（成分Ａ）の存在下に金属表面を接触する工程（工程ｅ）を、一工程で行っても良く、即ち、慣用の成分のみならず、本発明で使用される組成物を含む配合を用いて行っても良い。
【００７５】
本発明の方法は、５〜１００℃、好ましくは１０〜８０℃、さらに好ましくは１５〜４５℃の温度で一般に行われる。
【００７６】
本発明は、さらに、金属表面を、水溶性窒素含有ポリマーを含む組成物であって、該ポリマーが塩基であり、且つ該ポリマーの水溶液は、ｐＨ７未満において、金属表面の１種以上の金属の塩を添加した場合に沈殿を形成するものであることを特徴とする組成物を、金属表面を不動態化するために使用する方法も提供する。好ましく使用される組成物、及び組成物で好ましく使用されるポリマー（成分Ａ）は、既に前述した。好ましく使用される金属表面、及び好ましく実施される金属表面の不動態化法も同様に既に前述した。
【００７７】
金属表面に不動態層を希有制する工程に続いて、本発明の不動態層を備えた金属表面に、工程ａ）〜ｇ）の後で、被覆材料を設けることができる。被覆は、当該技術者に公知の方法で行うことができる。使用される被覆材料としては、例えば、粉末被覆材料、又は電解メッキ可能な、特にカソードメッキ可能な、メッキ被覆材料を挙げることができる。
【００７８】
従って、本発明（明細書）は、少なくとも１層の本発明の不動態層Ｘ、及び膜Ｙとして少なくとも１層の被覆膜（好ましくは２層以上の被覆膜）を含む、金属表面上の被覆構造体を、さらに提供する。
【００７９】
不動態層及びそれの好ましい態様は、既に前述した。好適な被覆膜は、当該技術者に公知である。
【００８０】
本発明の被覆構造体は、付加層を有する多数被膜塗料構造体（２層以上の被覆膜）であり得る。例えば、多数被膜塗料構造体は、少なくとも１層の下記の層から構成されてもよく、典型的には以下のように配列し得る：
・顔料混入（着色）され、及び／又は効果のある物質を備えた層Ｗ、
・プライマー、ベースコート、下塗り、顔料混入膜（着色膜）又は効果のある物質を備えた膜からなる群より選択される層Ｚ。
【００８１】
層Ｚ及び／又はＷにおける着色及び／又は効果のある被覆材料として、好適な被覆材料は、これらの目的に通常用いられ且つ当該技術者に公知のもの全てを一般に包含する。これらの材料は、物理的、熱的又は化学線（放射線）照射で、或いは熱的及び化学線（放射線）照射（２重硬化）で硬化し得るものでも良い。これらの材料としては、通常のベースコート材料、水溶性ベースコート材料、実質的に溶剤及び水を含まない液体のベースコート材料（１００％組成物）、実質的に溶剤及び水を含まない固体のベースコート材料（着色（顔料混入）粉体塗料材料）、又は実質的に溶剤を含まない着色（顔料混入）粉体被覆分散体（粉末スラリーのベースコート材料）を挙げることができる。これらは熱硬化性、又は２重硬化性でも良く、内部又は外部で架橋し得る。
【００８２】
１種以上、好ましくは１〜３種、さらに好ましくは１又は２種の、極めて好ましくは１種の着色材料及び／又は効果のある被覆材料を層に使用することが可能である。
【００８３】
「実質的に溶剤を含まない」とは、問題の被覆材料が、２．０質量％未満、好ましくは１．５質量％未満、さらに好ましくは１．０質量％未満の残留揮発溶剤含有量を有することを意味する。残留含有量がガスクロマトグラフィによる検出限界未満であれば、特に有利である。
【００８４】
多数被膜塗料構造体では、水溶性ベースコート材料を使用することが好ましい。水溶性ベースコート材料の例としては、ＥＰ００８９４９７Ａ１、ＥＰ０２５６５４０Ａ１、ＥＰ０２６０４４７Ａ１、ＥＰ０２９７５７６Ａ１、ＷＯ９６／１２７４７、ＥＰ０５２３６１０Ａ１、ＥＰ０２２８００３Ａ１、ＥＰ０３９７８０６Ａ１、ＥＰ０５７４４１７Ａ１、ＥＰ０５３１５１０Ａ１、ＥＰ０５８１２１１Ａ１、ＥＰ０７０８７８８Ａ１、ＥＰ０５９３４５４Ａ１、ＤＥ−Ａ−４３２８０９２Ａ１、ＥＰ０２９９１４８Ａ１、ＥＰ０３９４７３７Ａ１、ＥＰ０５９０４８４Ａ１、ＥＰ０２３４３６２Ａ１、ＥＰ０２３４３６１Ａ１、ＥＰ０５４３８１７Ａ１、ＷＯ９５／１４７２１、ＥＰ０５２１９２８Ａ１、ＥＰ０５２２４２０Ａ１、ＥＰ０５２２４１９Ａ１、ＥＰ０６４９８６５Ａ１、ＥＰ０５３６７１２Ａ１、ＥＰ０５９６４６０Ａ１、ＥＰ０５９６４６１Ａ１、ＥＰ０５８４８１８Ａ１、ＥＰ０６６９３５６Ａ１、ＥＰ０６３４４３１Ａ１、ＥＰ０６７８５３６Ａ１、ＥＰ０３５４２６１Ａ１、ＥＰ０４２４７０５Ａ１、ＷＯ９７／４９７４５、ＷＯ９７／４９７４７、ＥＰ０４０１５６５Ａ１又はＥＰ０８１７６８４、カラム５、３１〜４５行に記載のものを挙げることができる。
【００８５】
前述の着色材料又は効果のある被覆材料は、着色ベースコート及び／又は効果のあるベースコートのみならず、着色−及び／又は効果−をもたらす組合せの効果のある被膜を作製する機能を有し得る。これらは、多数被膜の着色及び／又は効果のある塗料構造体において少なくとも２種の機能を満たす被覆を意味する。このような機能としては、例えば、腐食に対する保護機能、接着促進機能、機械エネルギーの吸収機能、及び着色及び／又は効果の付与機能を挙げることができる。特に、組合せの効果のある被膜は、機械エネルギーを吸収するように働き、同時に着色及び／又は効果を付与するように働く；従って、それは、表面被膜、又はアンチストーンチップ(antistonechip)プライマー被膜の機能、及びベースコートの機能を満足する。さらに好ましくは、組合せの効果のある被膜はまた、腐食保護効果及び／又は接着促進効果を有する。
【００８６】
層（Ｗ）及び／又は（Ｚ）の典型的な厚さは、一般に０．１〜２０００μｍ、好ましくは０．５〜１０００μｍ、さらに好ましくは１〜５００μｍ、極めて好ましくは１〜２５０μｍ、特に好ましくは１０〜１００μｍである。
【００８７】
多数被膜塗料構造体に使用することができる被覆材料は、着色及び／又は効果のある顔料でも良い。好適な着色顔料としては、被覆材料として慣用される有機又は無機の全ての顔料を挙げることができる。有機又は無機の顔料の例としては、二酸化チタン、微粒子の二酸化チタン、酸化鉄顔料、カーボンブラック、アゾ顔料、フタロシアニン顔料、キナクリドン顔料、及びピローロピロール顔料を挙げることができる。
【００８８】
効果のある顔料は、特に板状構造が注目されている。効果のある顔料(effect pigment)の例としては、金属顔料（例、アルミニウム、銅又は他の金属の顔料）；干渉顔料（例、金属酸化物被覆金属顔料、例えば二酸化チタン被覆又は混合酸化物被覆アルミニウム）、被覆マイカ（例、二酸化チタン被覆マイカ）、及びグラファイト効果のある顔料を挙げることができる。例えば、硬度を改善するために、ＵＶ−硬化性顔料、及び適宜フィラーを使用することが有利であり得る。これらは、放射線硬化性化合物、例えばアクリロイル−官能化シラン、被覆顔料／フィラーであり、このため放射線硬化操作に包含され得る。
【００８９】
本発明の被覆構造体(system)は、下記の工程を含む方法により一般に製造される：
ａ）不動態層を形成するための前述の方法に従い、不動態層Ｘを形成する工程；
ｂ）その不動態層を被覆する工程。
【００９０】
不動態層を形成する方法は、その方法の好ましい態様に沿って、既に前述した。工程ｂ）に好適な被覆方法は当該技術者に公知である。
【００９１】
下記の実施例により、本発明をさらに説明する。
【実施例】
【００９２】
［比較例］
金属テストパネル（亜鉛メッキスチール、２０μｍの亜鉛）を、表１に規定された不動態化法により不動態化した。安定時間は塩噴霧試験で決定した。
（塩噴霧試験）
腐食防止効果に使用される基準は、ＤＩＮ５００２１に従う塩噴霧試験の結果である。腐食試験の安定時間は、観察される腐食損傷の種類に従い異なって定義される。
【００９３】
−白色斑点が、一般に１ｍｍを超える直径で形成された場合（Ｚｎ酸化物又はＡｌ酸化物、白錆として知られている）、報告される安定時間は、観察される損傷がＤＩＮ  ＥＮ  ＩＳＯ  １０２８９（２００１年４月、アネックスＢ、１９頁）における評価段階８になるまでの時間である。
【００９４】
−白錆斑点が形成される前に、黒色斑点が一般に１ｍｍ未満の直径で形成された場合（特に、不動態層を備えた亜鉛の上で）、報告される安定時間は、観察される損傷がＤＩＮ  ＥＮ  ＩＳＯ  １０２８９（２００１年４月、アネックスＡ、９頁）における評価段階８になるまでの時間である。
【００９５】
【表１】
2006520852.tif 000002
【００９６】
表２に規定された試薬は、ＨＮＯ3０．１％溶液中に濃度Ｃで溶解させる。金属テストパネル（亜鉛メッキスチール、２０μｍの亜鉛）を、溶液に１分間浸漬し、一晩吊り下げて乾燥する。いくつかの場合、層厚Ｄを質量差により決定した。安定時間は塩噴霧試験で測定した。
【００９７】
（質量差）
層の厚さは、層の比重が１ｋｇ／Ｌであるとの仮定のもとに、本発明で使用される組成物が金属表面に作用する前及び後の質量差により決定される。層の実際の比重に関係なく、以下の本文の層厚に関しては、このように決定されたパラメータである。
【００９８】
【表２】
2006520852.tif 000003
【００９９】
未処理金属パネルをその処理した片方（即ち、本発明の不動態層が設けられたもの）と比較した場合、腐食試験における安定時間が３倍であり、これは腐食防止効果の信頼し得る表示であると理解される。
【０１００】
腐食試験の安定時間は、より高い温度（例、６０℃で）で、或いはより高濃度の溶液にシステム（組成物）を浸漬することにより、さらに改善され得る。この高濃度の溶液は、上記規定された実施例のものとは異なる濃度を有する硝酸を含む溶液である。例えば、ポリマー濃度の増加により、安定時間の延長がもたらされる。ポリマーの濃度は、５質量％未満の値が好ましい。
【０１０１】
塩化亜鉛の水溶液は、白色の不溶性沈殿を形成し、その際、一般に、丁度０．５質量％のポリマーから始まる広い濃度範囲のポリビニルイミダゾール水溶液が使用される。
【０１０２】
*上記Ｋ値は、平均分子量を特性化するためのＦｉｋｅｎｔｓｃｈｅｒ定数である；H.-G. Elias, Makromolekuele 第1巻, 第5版, Huethig & Verlag, Basel 1990, 99頁参照。
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
亜鉛及びアルミニウム、及びこれらの金属と他の合金成分との合金から選択される金属表面上の不動態層であって、金属表面をビニルイミダゾールの単独重合体を含む組成物と接触させることにより得られる不動態層。
【請求項２】
厚さが３μｍ以下である請求項１に記載の金属表面上の不動態層。
【請求項３】
厚さが０．０１〜３μｍ以下である請求項２に記載の金属表面上の不動態層。
【請求項４】
金属表面と請求項１〜３のいずれか１項に記載の不動態層からなる表面。
【請求項５】
亜鉛及びアルミニウム及びこれらの金属と他の合金成分との合金から選択される金属表面に不動態層を形成する方法であって、金属表面を請求項１に記載の組成物と接触させることを特徴とする方法。
【請求項６】
接触を、噴霧法、ロール塗布法、又は浸漬法により行う請求項５に記載の方法。
【請求項７】
金属表面を不動態化するために、請求項１に記載の組成物を使用する方法。
【請求項８】
請求項１〜３のいずれかに記載の不動態層Ｘ及び別の被覆膜Ｙを含む金属表面構造体。
【請求項９】
下記の工程：
請求項５又は６に記載の方法により不動態層Ｘを形成する工程、及び
その不動態層を被覆する工程
を含む請求項８に記載の塗料構造体を形成する方法。
【国際調査報告】
2006520852.tif 000004
2006520852.tif 000005
2006520852.tif 000006
2006520852.tif 000007
2006520852.tif 000008
2006520852.tif 000009
2006520852.tif 000010
2006520852.tif 000011